Podtech/llm-jp-corpus-v4-ja_patent huggingface dataset:
(57)【要約】【課題】  新規なノート型パソコン収納用スタンドの提供。【解決手段】  ２本の棒状体およびアーチ部材を有するノート型パソコン収納用スタンドであって、該棒状体はその上面に開口を有する長さ方向に配置された複数の穴を有し、該アーチ部材の端部をそれぞれ異なる棒状体の穴に差し込み、２本のアーチ部材の間にノート型パソコンを収納する空間を提供する、ノート型パソコン収納用スタンド。【選択図】  図１  
2005308038.tif 000002
【特許請求の範囲】
【請求項１】
２本の棒状体およびアーチ部材を有するノート型パソコン収納用スタンドであって、該棒状体はその上面に開口を有する長さ方向に配置された複数の穴を有し、該アーチ部材の端部をそれぞれ異なる棒状体の穴に差し込み、２本のアーチ部材の間にノート型パソコンを収納する空間を提供する、ノート型パソコン収納用スタンド。
【請求項２】
アーチ部材の端部が差し込まれる穴の位置を変えることにより、２本のアーチ部材の距離を収納されるノート型パソコンの厚さ寸法とほぼ同じにすることができる様、複数の穴が提供されている、請求項１記載のスタンド。
【発明の詳細な説明】
【技術分野】
【０００１】
本発明は、ノート型パソコンを収納するためのスタンドに関する。より詳細には、本発明は、種々のノート型パソコンを収納できるスタンドであって、収納したまま外部ディスプレイやキーボードを接続し、操作することのできるスタンドに関する。
【背景技術】
【０００２】
従来のノート型パソコン用スタンドは、特開２００３−３４５４６２号、および特開２００３−０４４１６５号が知られていた。しかし、いずれもスタンド自体が大きくて、省スペース化には寄与していなかった。
また、ノート型パソコンはデスクトップ型パソコンと比較するとディスプレイやキーボードの使い勝手が悪く、また、ノート型パソコンを使用する際には姿勢が悪くなりやすく、目や体に悪影響を及ぼす恐れがあった。自宅や職場にデスクトップ型パソコンがある場合には、これを使用した方が好ましいが、データを移す手間や、使用ソフトの設定の違いなどのために不都合を生ずる場合があった。
【特許文献１】特開２００３−３４５４６２号
【特許文献２】特開２００３−０４４１６５号
【発明の開示】
【発明が解決しようとする課題】
【０００３】
本発明は、小さなスタンドであり、未使用時にはじゃまにならず、また、収納する際にケーブル類をはずす必要がないばかりか、外部ディスプレイやキーボードを接続し、収納した状態のままでノート型パソコンを使用することのできるスタンドを提供することを目的とする。
【課題を解決するための手段】
【０００４】
本発明は、２本の棒状体およびアーチ部材を有するノート型パソコン収納用スタンドであって、該棒状体はその上面に開口を有する長さ方向に配置された複数の穴を有し、該アーチ部材の端部をそれぞれ異なる棒状体の穴に差し込み、２本のアーチ部材の間にノート型パソコンを収納する空間を提供する、ノート型パソコン収納用スタンドに関する。
本発明における棒状体は、ノート型パソコンを収納した際に不安定にならないよう、十分な長さを有することが好ましい。典型的には約８ｃｍから２０ｃｍ、より典型的には約１０ｃｍから１５ｃｍの長さを有する。また、収納されたノート型パソコンの通気口をふさがず十分な冷却効果が得られるよう適当な高さを有することが望ましい。また、機種によっては電源コードなどのケーブル類がハソコン背面にある場合があるので、収納時にこれに強い力が加わらないよう、十分な高さを有することが望ましい。好ましくは、棒状体は約２ｃｍ以上の高さを有する。
棒状体には上面に開口を有する穴が形成される。この穴はアーチ部材の端部を受容し、しっかりと固定できる程度の深さおよび大きさを有する。典型的には、アーチ部材の直径は約４から１０ｍｍであり、アーチ部材の脚部分および穴の直径は約３から１０ｍｍの範囲である。
【０００５】
アーチ部材の２つの端部はそれぞれ異なる棒状体に固定され、２本の棒状体と２本のアーチ部材によりスタンドが形成され、２本のアーチ部材の間の空間にノート型パソコンが保持される。２本のアーチ間の距離は、保持されるノート型パソコンが動かないように、ノート型パソコンの厚さとほぼ同じであることが好ましい。
本発明の好ましい態様においては、アーチ部材の端部が差し込まれる穴の位置を変えることにより、２本のアーチ部材の距離を収納されるノート型パソコンの厚さ寸法とほぼ同じにすることができる様、複数の穴が提供される。約１５ｍｍから約６５ｍｍの範囲で、約５ｍｍ刻みで２本のアーチ部材の間隔を設定できるよう、穴を配置することが好ましい。
【０００６】
スタンドの強度を大きくするため、２本の棒状体を連結し、固定する連結部材を設けることが好ましい。かかる連結部材は棒状体に対して任意の位置に設けることができ、またその数も任意であるが、典型的には中央部に１本、または中央部分から等距離に対称に２本設けられる。
また、棒状体の中央部分の、ノート型パソコンが接触する部分には、好ましくはクッション部材が設けられる。クッション部材としては弾性のある、柔らかい樹脂、たとえばシリコンゴムなどのゴムが好適に使用される。クッション部材はシート状のものを貼り付けても良いし、また突起状に成型したものを接着などにより取り付けても良い。
さらに、アーチ部材の外周を、同じくクッション部材で覆うことも好ましい。このような手段を講ずることにより、ノート型パソコンを傷付ける危険をほとんどなくすことができる。  
【発明の効果】
【０００７】
本発明のスタンドは小さいため机上の専有面積が少なく、ケーブル類などを接続したままでノート型パソコンを収納することができる。また、接続端子部分が露出されたままであり、各種ケーブルの接続も容易であるので、スタンドに収納したままでデスクトップバソコンのディスプレイやキーボード、または外部記憶装置などと容易に接続することができる。
また本発明のスタンドは、アーチ部材の位置が変更できるので、種々のメーカーの様々な機種に使用することができる。
【発明を実施するための最良の形態】
【０００８】
本発明の好適な実施態様を、図１から３に示す。
本発明のスタンドは２本の棒状体（１）、およびそれと連結された２本のアーチ部材（２）を有する。棒状体には複数の穴（３）が形成され、この穴にアーチ部材の端部が挿入される。２本のアーチ部材は連結部材（４）により連結される。また、アーチ部材（２）の、ノート型パソコンと接触する部分にはクッション部材（５）が設けられる。また、棒状体のノート型パソコンと接触する部分にはクッション部材（６）が設けられる。
【図面の簡単な説明】
【０００９】
【図１】本発明のスタンドの実施態様の上面図である。
【図２】本発明のスタンドの実施態様の正面図である。
【図３】本発明のスタンドの実施態様の側面図である。
【符号の説明】
【００１０】
１：棒状体
２：アーチ部材
３：穴
４：連結部材
５：クッション部材
６：クッション部材
【図１】
2005308038.tif 000003
【図２】
2005308038.tif 000004
【図３】
2005308038.tif 000005
(57)【要約】【課題】  従来のファンヒーター用温風引込ダクトでは、石油ストーブからこたつへ温風を引き込むことができない、という欠点があった。  これを解決する為、温風ダクトに省電力で適度な風量のブロワを取り付け、ブロワ装置の存在しない石油ストーブでも光熱費の節減が可能となる、石油ストーブ用こたつファンを提供する。【解決手段】  脚部（１）の上部にブロワ（２）を設け、温風ダクト（３）（４）を介して、石油ストーブ上部からこたつ内部へ温風を引き込む機能を特徴とする。【選択図】  図１
2005308376.tif 000002
【特許請求の範囲】
【請求項１】
脚部（１）の上部にブロワ（２）を設け、温風ダクトＡ（３）、温風ダクトＢ（４）を介してこたつ内部へ温風を引き込む機能を有した、石油ストーブ上部に取り付けて使用する、こたつ用暖房器具。
【発明の詳細な説明】
【発明の詳細な説明】
【技術分野】
【０００１】  この発明は、既存の石油ストーブ上部に設置することにより、温風をこたつ内部へ引き込む、石油ストーブ用こたつファンに関するものである。
【背景技術】
【０００２】  従来のブロワ装置の存在しない温風引込ダクトでは、石油ストーブから、こたつ内部へ温風を引き込むことができなかった。
※（たとえば、特許文献１参照）。【０００３】
【特許文献１】特開平１０−１１１０２１号広報
【発明が解決しようとする課題】
【０００４】  これは次のような欠点があった。
従来、ファンヒーターからはダクトを介してこたつへ温風を送ることは可能であったが、ブロワの存在しない石油ストーブには使用できなかった。
本発明は、以上の欠点をなくすために考案したものである。
【課題を解決するための手段】
【０００５】  脚部（１）の上部にブロワ（２）を設け、温風ダクトＡ（３）、温風ダクトＢ（４）を介して、石油ストーブから、こたつ内部へ温風を引き込めるようにする。
【発明を実施するための最良の形態】
【０００６】  以下、本発明の実施の形態について説明する。
脚部（１）の上部にブロワ（２）を設け、温風ダクトＡ（３）、温風ダクトＢ（４）を介して、こたつ内部へ温風を引き込めるようにする。
ブロワは、電源コンセント（６）を家庭用１００Ｖ電源コンセントに差込み、スイッチ（７）をオンにすれば作動する。
また、安全の為、温風ダクトは２分割とし、温風ダクト（４）に躓くなどした場合は、温風ダクトＡ（４）が温風ダクトＢ（３）から直ぐに外れる構造としている。
尚、温風ダクトは耐熱性と柔軟性を考慮して、自在に折り曲げや伸縮ができるアルミダクト素材を使用し、これによって、こたつと石油ストーブの設置場所を本発明の使用者が自由に設定することができる。
石油ストーブに近接する部分の電気コードは、燃焼防止の為、不燃性素材の断熱カバー（８）で被服する。
部屋が暖まってきて、こたつの温度を下げたい場合は、ストーブの火力を調節すればよい。
本発明は以上のような構造で、これを使用するときは、本発明の脚部を、取り付け用磁石（５）を使い、石油ストーブ上部に固定し、スイッチ（７）をオンにすればよい。
【発明の効果】
【０００７】  省電力のブロワが付いているため、石油ストーブの熱を適度にこたつ内部へ引き込むことが可能となり、こたつの熱源を使わずとも、こたつ内部を暖めることができる。
これによって、光熱費の節減が可能となる。
【図面の簡単な説明】
【図１】  本発明の分解斜視図である。
【図２】  本発明の斜視図である。
【図３】  本発明の実施形態である石油ストーブ用こたつファンの使用形態を示す斜視図である。
【符号の説明】
１  脚部
２  ブロワ
３  温風ダクトＡ
４  温風ダクトＢ
５  取り付け磁石
６  電源コード
７  スイッチ
８  断熱カバー
９  本発明の全体
１０  石油ストーブ
１１  こたつ
【図１】
2005308376.tif 000003
【図２】
2005308376.tif 000004
【図３】
2005308376.tif 000005
(57)【要約】      （修正有）【課題】外気流が換気扇フードを経由して逆流しないようにするために、外気の諸々の変化に即応回動して、外気を排気口外に散乱させることの出来る構造の換気扇フードを提供する。【解決手段】本器の構成を、［図２］の取付け座板１に一体化した固定部気流ガイド筒２及び回転バランスをとった半球形回動型偏向ガイド１１とする。換気扇フードにおいて、図２の半球形回動型偏向ガイド１１に一体化した風向検知板Ａ１４及び風向検知板Ｂ１５に外気の風圧を作用させ、半球形回動型偏向ガイド１１に一体化した排気口３３が常時外気流の風下になるように自動的に回動させることにより、強風時に屋外の外気流を排気口３３外に全て散乱排除することにより外気の逆流を防止する。【選択図】図２
2005308379.tif 000002
【特許請求の範囲】
【請求項１】
換気扇フードにおいて、換気流入口（３１）よりの換気流（３２）は半球形回動偏向ガイド（１１）の内側によって約９０度に偏向され排気口（３３）より排出されるが、この排気流（３４）に逆らって逆流してくる換気扇フードの背部もしくは側面からの外気流を、風向検知板Ａ（１４）及び風向検知板Ｂ（１５）によって外気の方向を検知し、排気口（３３）が常に外気の風下になるよう、あらかじめ外気流の風圧によって自動的に回動セットされた回動部の半球形回動偏向ガイド（１１）の外側及び回動遮蔽板（１２）の外側によって、外気流を排気口の無い方向に散乱させ外気の逆流を防ぐ構造の換気扇フードの提供にある。
【発明の詳細な説明】
【技術分野】
【０００１】本発明は高効率の換気扇用フードに関する。
【背景技術】
【０００２】従来の換気扇フードは、雨避けと併せて換気扇の水平気流を約９０度下方に偏向させ排気の方向を下方向のみに固定したものであるため、強風時に下方向より排気口に向かって舞い上がってくる外気流は、排気口より逆流して換気扇の効果を妨げ、もしくは換気扇を逆回転させて室内に浸入してくる構造のものであり、強風時には無用のものであった。
【発明の開示】
【発明が解決しようとする課題】
【０００３】換気扇フードに外部から加わる外気流風圧は、その圧力・方向共に常に変則的であるため、この外気流が換気扇フードを経由して逆流しないようにするために、外気の諸々の変化に即応回動して、外気を排気口外に散乱させることの出来る構造の換気扇フードの開発が課題である。
【課題を解決するための手段】
【０００４】換気扇フードの構成を大別して、固定部と回動部とに二分する。【０００５】固定部は、図［３］、図［４］のように円筒形をなした固定部気流ガイド筒（２）とし中心軸（６）を設けた固定部中心具（４）を３〜５本の固定部中心具支持バー（３）によって気流ガイド筒（２）の中心部に平行して固定し、螺旋状に回転している換気流によって回動部が自転するのを防ぐために気流ガイド筒（２）の内側に複数枚の風向修正板（５）を設け、更に気流ガイド筒（２）の外周に取り付座板（１）を設ける。【０００６】固定部気流ガイド筒（２）の換気流出口側周縁部と回動部の換気流入口側周縁部は、固定部外軽より回転部内径がやや大きく、回動部の内周内に固定部外周が納まりその重なりは、図［９］の（２５）のように換気流が外部に洩れること無く、外気が入りこみ難い寸法とする。【０００７】風向検知板Ａ（１４）は、回動部背部からの外気流風圧を検知し、風向検知板Ｂ（１５）は、回動部側面からの外気流風圧を検知して、排気口の方向を外気流の風下に回動部を誘導するものである。【０００８】回転部は、図［８］、図［９］のように両端にベアリング等の極めて摩擦の少ない軸受け（１９）を設けた回動中心具（１３）を固定部中心具（４）と直列に中心軸（６）を介して挿入し、Ｅリング（２１）にて半固定する。更に回動中心具（１３）より１２０度に展開、垂直に立ち上げた、バランス調整用重り（１８）を付けた回動部支持バー（１６）３本と回動部補強バー（１７）の先端部に半球型回動型偏向ガイト（１１）を、半球型回動型偏向ガイド（１１）の回動中心に固定する。また、半球型回動型偏向ガイドには、回動遮蔽板（１２）、風向検知板Ａ（１４）及び風向検知板Ｂ（１５）を固定した構成とする。
【発明の効果】
【０００９】上記手段により、外気流を利用して回動部と一体化した風向検知板Ａ（１４）及び風向検知板Ｂ（１５）が回動部を回動させることにより、換気扇の排気流（３４）向が外気流の方向と常に同一方向になるため、外気流は排気流（３４）に逆らうことはなく、むしろ外気流が排気流（３４）を引き出すことになり排気は助長され、外気流の逆流及び雨水の浸入を防ぐことが出来る。
【発明を実施するための最良の形態】
【００１０】固定部気流ガイド筒（２）と回動部の固定部との重なり部分は、円筒型とする。【００１１】固定部中心具（４）及び回動部中心具（１３）は円柱型とし、固定部中心具支持バー（３）及び回動部支持バー（１６）は、円柱型または円筒型とし、固定部中心具（４）の換気流の流入側先端部は円錐型とする。【００１２】風向検知板Ａ（１４）は、回動遮蔽板の中程より先端部に向けて凹面した中心部に１枚風向検知板Ｂ（１５）は、間隔を保った２枚とする。【００１３】回動部が異形のための回転バランスを調整するため、回動部支持バー（１６）２本にネジ移動式のバランス調整用重り（１８）を設ける
【図面の簡単な説明】［図１］斜視図
［図２］換気流・排気流のイメージ図
［図３］固定部の正面図
［図４］固定部の側・断面図
［図５］回動部の正面図
［図６］回動部の底面図
［図７］完成品の正面図
［図８］完成品の側・断面図
［図９］完成品の底面図
［図１０］回動機構の断面図
［図１１］回動遮蔽板の背面図
［図１２］回転遮蔽板の低面図
【符号の説明】
１  取付け座板
２  固定部気流ガイド筒
３  固定部中心具支持バー
４  固定部中心具
５  風向修正板
６  中心軸
７
１０  壁の断面
１１  半球形回動型偏向ガイド
１１ｂ半球形回動型偏向ガイド
１２  回動遮蔽板
１３  回動部中心具
１４  風向検知板Ａ
１５  風向検知板Ｂ
１６  回動部支持バー
１７  回動部補強バー
１８  バランス調整用重り
１９  軸受
２０  ワッシャ
２１  Ｅリング
２２  押しネジ
２３
３１  換気流入口
３２  換気流
３３  排気口
３４  排気流
【図１】
2005308379.tif 000003
【図２】
2005308379.tif 000004
【図３】
2005308379.tif 000005
【図４】
2005308379.tif 000006
【図５】
2005308379.tif 000007
【図６】
2005308379.tif 000008
【図７】
2005308379.tif 000009
【図８】
2005308379.tif 000010
【図９】
2005308379.tif 000011
【図１０】
2005308379.tif 000012
【図１１】
2005308379.tif 000013
【図１２】
2005308379.tif 000014
(57)【要約】【課題】換気を行いながら採光のできる換気扇を提供する。【解決手段】換気フード（１）を透明な素材で構成し、また換気ファン（２）と換気口（３）を水平に設置することで、換気を行いながら光を遮ることなく採光をとる。【選択図】図１
2005308352.tif 000002
【特許請求の範囲】
【請求項１】
換気ファンと換気フードから構成される換気扇において、換気ファンを換気フード下部に設置し、透明な素材で構成される換気フードを通して換気しながら採光することを特徴とする採光用換気扇。
【発明の詳細な説明】
【技術分野】
【０００１】
この発明は、換気扇の形状に関わる。
【背景技術】
【０００２】
従来換気フードは不透明な素材で構成されており、換気ファンも垂直に設置されていたため、換気ファンが妨げとなり換気フードから採光を取り入れることが難しく、   
また開口部においては特開平１１−３２４５２４号公報に示されるサッシに換気ファンと換気口を設置する技術が開示されているが、換気扇において換気性能を行いながらも採光を有効にとりいれる技術が開示されたものはない。住宅などの空間に高さを求める傾向の強い現代において、換気性能と採光機能の両方の機能をもつ設備は必要とされる傾向にあり、従来の技術では十分な技術が開示されていないと考えられる。
【特許文献１】特開平１１−３２４５２４号公報
【発明の開示】
【発明が解決しようとする課題】
【０００３】
以上のような実情から、本発明は、換気扇として換気を行いながらも採光を有効にとりいれることのできる採光用換気扇を提供する。
【課題を解決するための手段】
【０００４】
上記の課題を解決するために、請求項１に記載の採光用換気フードは、光を通す透明な素材で構成される換気フードとし、また換気ファンを垂直ではなく水平な向きで設置することを特徴としている。
【発明の効果】
【０００５】
換気フードを透明な素材で構成し、また換気ファンを水平にすることで換気性能を行いながらも、採光を有効にとることができる。
【発明を実施するための最良の形態】
【０００６】
本発明の第一実施形態について図１に示す。
【０００７】
採光用換気扇は、透明な素材で構成される換気フード（１）と水平に設置した換気ファン（２）とフード枠組（８）から構成され、換気ファン（２）により換気を行うと供に、換気フード（１）を通して採光をとることができる。
【０００８】
本発明の第二実施形態について図２に示し、第一実施形態との相違点のみを以下に記載する。
【０００９】
採光用換気扇は、内壁側に飾り棚（６）を設けることで、植物（７）などで換気扇周りを装飾することもできる。
【００１０】
また、採光用換気扇の換気ファン（２）の設置方法は水平に設置される方法に限定されず、換気フード（１）に付属していればで左右上下などであってもよい。また換気フード（１）は閉じた構造とは限らず、開閉を自由とした構造であってもよい。
【００１１】
さらに、本発明の採光用換気扇は、換気フード（１）を構成する素材として透明な素材であればひとつの素材に限定されず、樹脂系、塩ビ系などの素材であってもよい。また大きさも限定されるものではない。そして設置場所も住戸に限定されず、工場、老人ホーム、病院など換気扇を設置する施設であってもよい。
【図面の簡単な説明】
【００１２】
【図１】採光用換気フードの実施例を示した断面図である。（実施例１）
【図２】採光用換気フードを示した断面図である。
【図３】採光用換気フードをを示した断面図である。
【符号の説明】
【００１３】
１    換気フード
２    換気ファン
３    換気口
４    内壁仕上
５    外壁仕上
６    飾り棚
７    植物
８    換気フード内側
【図１】
2005308352.tif 000003
【図２】
2005308352.tif 000004
【図３】
2005308352.tif 000005
(57)【要約】      （修正有）【課題】サファイアガラスは、加工性に問題が有り、デザインの多様性には限りがあった為、キュービックジルコニアを、腕時計の風防として利用し、斬新なデザインの腕時計を提供する。【解決手段】光の屈折率が高く、様々な色に着色出来、複雑なカットも加えられるキュービックジルコニアの風防１を、時計ケース２の前面全体に取り付ける事により、斬新で豪華な腕時計を得る。【選択図】  図１
2005308702.tif 000002
【特許請求の範囲】
【請求項１】
キュービックジルコニアの風防（１）を、時計ケース（２）の前面全体に用いた腕時計
【発明の詳細な説明】
【発明の詳細な説明】
【技術分野】
【０００１】本発明は、キュービックジルコニアを、腕時計の風防として利用し、斬新なデザインの腕時計を提供するものである。
【背景技術】
【０００２】キュービックジルコニアを腕時計で利用するには、小粒のキュービックジルコニアをベゼルに埋め込んだり、インデックスポイントとして補助的な装飾としていた。【０００３】高級腕時計の風防には、サファイアガラスが用いられている。
【発明の開示】
【発明が解決しようとする課題】
【０００４】サファイアガラスは、加工性に問題が有り、デザインの多様性には限りがあった。【０００５】又、ダイアモンドやルビーといった貴石の装身具と腕時計とを一緒に着用する等、美的に調和出来て、様々な色で展開出来る斬新で豪華な風防が求められていた。
【課題を解決するための手段】
【０００６】光の屈折率が高く、様々な色に着色出来、複雑なカットも加えられるキュービックジルコニアの風防（１）を、時計ケース（２）の前面全体に取り付ける事により、斬新で豪華な腕時計を得る。
【発明の効果】
【０００７】無色透明、または様々な色が作れるキュービックジルコニアの風防を、腕時計のフェイス全面に取り付ける事により、腕時計自体が宝石であるような効果も示す。
キュービックジルコニアは、サファイアガラスと比較してはるかに複雑なカットを加える事が出来るので、丸い時計でも四角な時計でも、形状にとらわれる事なく、立体的でボリューム感あふれる、斬新なデザインの腕時計が得られた。
ダイアモンドやルビーといった貴石の装身具と一緒に着用した際でも、美的に違和感なく調和出来、様々なカラーでお洒落が楽しめる斬新で豪華な腕時計となる。
【発明を実施するための最良の形態】
【０００８】以下、本案の実施の形態について説明する。
（イ）無色透明なダイアモンドと調和する腕時計には、着色しないキュービックジルコニアの風防を取り付ける。（図１）
（ロ）有色の貴石と調和させるには、添加元素を変えて様々な色のキュービックジルコニアを作る事により、調和したカラーで楽しめる腕時計が製作出来る。（図２〜４）
【図面の簡単な説明】
【０００９】
【図１】無色透明なキュービックジルコニアの風防を取り付けた腕時計である。
【図２】ライトイエローのキュービックジルコニアの風防を取り付けた腕時計である。
【図３】ローズのキュービックジルコニアの風防を取り付けた腕時計である。
【図４】パープルのキュービックジルコニアの風防を取り付けた腕時計である。
【符号の説明】
【００１０】１  キュービックジルコニアの風防
２  時計ケース
【図１】
2005308702.tif 000003
【図２】
2005308702.tif 000004
【図３】
2005308702.tif 000005
【図４】
2005308702.tif 000006
(57)【要約】【課題】物干し竿に掛けたハンガーの風による吹き寄せによる洗濯物の乾燥不全の解決を図る。【解決手段】物干し竿の直径より若干大きい内径を有し、且つ耐食性及び耐候性ある線材よりなるコイルに形成し、物干し竿に填め込むようにしたことを特徴とする物干し竿用ハンガーの竿掛け位置の設定用具。【選択図】  図１
2005013689.tif 000002
【特許請求の範囲】
【請求項１】
物干し竿の直径より若干大きい内径を有し、且つ耐食性及び耐候性ある線材よりなるコイルに形成し、物干し竿に填め込むようにしたことを特徴とする物干し竿用ハンガーの竿掛け位置の設定用具。
【発明の詳細な説明】
【０００１】
【発明の属する技術分野】
本発明は、洗濯衣類の乾燥を行なうことを目的とする所謂物干し竿に係り、さらに詳細に言えば、当該竿に、洗濯後の衣類をハンガーに通して掛ける際、当該ハンガーが複数の場合に生ずる主として風による乾燥上の不具合の改善に係る。
【０００２】
【従来の技術】
従来の物干し竿は竹竿が主流であったが、近来は殆ど金属製の竿に代替されているのが現状である。当該竿は直管より成り、且つその表面は適当な耐候性ある被覆材でコーチングされているものが多い。その表面は滑らかに仕上げられており、従ってこの竿に洗濯物を装着したハンガーの釣り手を多数掛けた場合、風が吹くと、ハンガーが吹き寄せられて相互の間隔が失われ、洗濯物が密着状態となり、従って洗濯物への日当たりや風通しが損なわれ乾燥効果の面で不具合があった。この欠点を回避するため、やむを得ずハンガー相互間に夫々適当な間隔を保つために、竿を挟圧してハンガーの移動を制限するように形成した多数のクリップを装着するか、波型に形成した線材を竿に固定するか、或いは単に竿のみの場合には、吹き寄せられたハンガーの間隔を随時適正に手直しするなどの手段と手間を要した。
【０００３】
【発明が解決しようとする課題】
本発明は、従来の一般的な物干し竿のような構成に依らずして、前述したような風によるハンガーの吹き寄せ現象を効果的に防止し、併せてハンガーの掛け位置を洗濯物の日当たりや風通しを考慮して乾燥に好適な位置に任意に且つ容易に設定可能な用具を提供することを目的とするものである。
【０００４】
【課題を解決するための手段】
上記の目的を達成するために、物干し竿の直径より若干大きい内径を有し、且つ耐食性及び耐候性ある線材よりなるコイルに形成し、物干し竿に填め込むようにしたことを特徴とする物干し竿用ハンガーの竿掛け位置の設定用具である。
【０００５】
【発明の実施の形態】
上記の手段によって構成したコイルを物干し竿に通して後、コイルのピッチを伸縮して適当に設定することにより本発明の目的を達成することが出来る。
即ち、竿の上面のみを見れば、コイルを形成した線材がピッチ分相当の間隔を置いて略平行に配置した形状を呈し、この間隔内にハンガーの釣り手を掛ければハンガー自体の移動は前後の線材によって該間隔内に制限されることになり、風圧によっても、この移動制限作用により、この間隔以上の移動は生起せず、よって余程の強風でない限り、ハンガーの風による吹き寄せ現象は効果的に防止されることになる。
【０００６】
【実施例】
以下、図面を参照しながら本発明の実施の態様を説明する。
図１のＡは本発明の主体を構成するコイルである。線材１は太さ２ミリメートルの合成樹脂被覆の鉄線で、家庭用の物干し竿２の直径は大体３０ミリメートルであるところから竿への通し易さを考慮して内径４０ミリメートルに前記線材１をもってコイルＡに形成した。コイルＡのピッチは取り扱いの便利上極小にして形成し、物干し竿２に通した後にコイルを均等に引き伸ばしてピッチを適当、例えば３０乃至５０ミリメートルに設定する。  その状態を図１に示した。同図において、３はハンガーを示し、線径２乃至３ミリメートルの被覆鉄線で通常作られているものである。
コイルＡを形成する線材１は、上記のものに限定せず、耐食性且つ耐候性に富むものであれば利用可能である。例えばステンレス鋼線等が好適である。また線材の太さも２ミリメートルに限定するものではなく、任意の線径のものを選択できる。また、コイルＡの内径も竿１の直径に応じて少なくともその直径より大きい条件を満足すれば良い。尚、コイルＡの線材１を弾力性に富む線材を用いて、予め所望のピッチを与えたスプリング状のコイルに形成しても良い。竿に通す前のコイルの状態は、圧縮して形態を小さくしておき、竿に填める段においてコイルを開放してスプリングバックさせて元の姿に復帰するようにすれば、竿にコイルを通した際、コイルのピッチを調整する手間を省くことが出来る利点がある。さて、このように構成したコイル付の物干し竿に複数のハンガーを掛けるには、コイルのピッチの大きさに応じて２乃至４程度のピッチの間隔を置いてそれぞれ掛ければ良い。尚、強風によりハンガー３が竿２から飛散しそうな場合には、ハンガーの釣り手の先端をコイルと竿との隙間から挿入してコイルの線材自体に掛ければハンガーの保持がより確実となり、風によるハンガーの飛散は効果的に防止される。  要するに、本発明の主体となるコイル自体は申すまでもなく公知に属するが、本発明は、その用途の面で新規であり、それなりの効果もある。
【０００７】
【発明の効果】本発明は上述の構成により次の効果を奏する。
１．風によるハンガー相互の吹き寄せ現象を効果的に防止できると共に、ハンガーの間隔を適正に設定且つ保持できるので、日当たりや風通しが良く洗濯物の乾燥を阻害することがない。
２．本考案の構成は極く簡単で可動部分がないため、故障が生ぜず、またコイルの構成材は耐食性や耐候性に富む材料のため、長期間の使用に耐える。
３．コイルの材料となる線材は、一般市販品のため、入手容易にして安価であり、またコイルの形成も簡単なため、製造コストも廉価である。
【０００８】
【図面の簡単な説明】
【図１】本発明の実施の態様の１例を示す斜視図である。
【符号の説明】
Ａ        コイル
１        線材
２        物干し竿
３        ハンガー
【図１】
2005013689.tif 000003
(57)【要約】【課題】ペットボトル等から飲料水を飲むとき、ストローを使うことが多い。そのとき、ストローが沈んでしまわないように、ストローに浮輪をつけた浮輪つきストローを提供する。【解決手段】円盤状の浮遊体（１）の中央に穴（２）を設けたことを特徴とする。【選択図】  図１
2005013684.tif 000002
【特許請求の範囲】
【請求項１】
円盤状の浮遊体（１）の中央に穴（２）を設けた浮輪つきストロー。
【発明の詳細な説明】
【０００１】
【発明の属する技術分野】
この発明は、ストローの先に円盤状の浮遊体を取り付けて使用するもので、浮遊体が浮輪の役目をしてくれて、ペットボトルのキャップを開けたとき、ペットボトルの飲料口より常にストローがふわりと上に浮き上がり，飲料物を飲みやすいように工夫した浮輪つきストローに関するものである。
【０００２】
【従来の技術】
従来、ペットボトルの飲料物をストローを使って飲むとき、ストローが長いので、ペットボトルの中にストローを入れて、ストローを折り曲げて使っていた。従来の先行技術は、特開２００１−１８６９７４や特開２００１−８７１１０などがあった。
【０００３】
【発明が解決しようとする課題】
これは、次のような問題があった。
短いストローを入れると、取出すのが面倒で大変だった。
長いストローだと折り曲げて入れ、指を差し込んで、ひっぱり出さなければならなかった。
手が汚れていると、不衛生だった。
本発明は、これらの欠点をなくすためになされたものである。
【０００４】
【課題を解決するための手段】
円盤状の浮遊体（１）の中央に穴（２）を設ける。
以上のように構成された浮輪つきストロー。
【０００５】
【発明の実施の形態】
本発明の実施の形態について説明する。
円盤状の浮遊体（１）の中央に穴（２）を設ける。
本発明は以上のような構造でこれを使用するときは、ストローに本発明品の浮遊体（１）のを複数個取り付ける。
ペットボトル（４）のキャップを開けて、浮遊体（１）を取り付けたストローを入れる。
飲料物を飲みたいとき、キャップを開けると、常にストロー（３）がふわりと浮き上がる
このようにストローに浮遊体（１）を取り付けると、指でストロー（３）をかき出さなくてもいいので衛生的である。
ストロー（３）にジャバラ部分を付けることで、中身が少なくなった状態でも、ジャバラ部分を伸ばして最後まできれいに飲み干せる。
浮遊体（１）は１枚でも使えるが、より２枚から３枚付けた方が、ストローは、より勢いよくスーッと上に浮き上がる。
【０００６】
【発明の効果】
短いストローでも、本発明品を使えば、ペットボトルのキャップを空けたときでも，浮き上がってくれるので使いやすい。
衛生的に使える。
ラッパ飲みというお行儀の悪い飲み方をしなくてよくなる。
ジュース、お茶などの販売促進用の贈答品としても最適である。
【図面の簡単な説明】
【図１】本発明の斜視図である。
【図２】本発明の断面図である。
【図３】本発明の使用状態を示した斜視図である。
【図４】本発明の使用状態を示した斜視図である。
【符号の説明】
１  浮遊体
２  穴
３  ストロー
４  ペットボトル
【図１】
2005013684.tif 000003
【図２】
2005013684.tif 000004
【図３】
2005013684.tif 000005
【図４】
2005013684.tif 000006
(57)【要約】【課題】車椅子の座席に着座した時の快適さと安全性を向上させる事を課題としいる。【解決手段】座布団の中心部を二つに分ける事により、中折れの機能を持たせ、座席に座布団を敷いたままの状態で折りたたみを可能にした事とともに、座布団に滑り止め用の装置を取り付け、車椅子の座席部分に固定させ、車椅子の着座の安全性を向上させる事を特徴とする。【選択図】  図２
2005013686.tif 000002
【特許請求の範囲】
【請求項１】
座布団の中心を縫い着座部分を二つに分ける事により、座布団の中折れを可能にし、座布団に滑り止め用の装置を取り付け、車椅子の座席に固定させ、座布団が車椅子の座席から滑り落ちることなく、敷いたままの状態で車椅子の折りたたみを可能にしたことを特徴とする車椅子用中折れ座布団。
【発明の詳細な説明】
【０００１】
【発明の属する技術分野】
この発明は車椅子用クッションの技術分野に属する。
【０００２】
【従来の技術】
車椅子のクッションにおいては、体圧の軽減、伸縮性、床ずれ予防、通気性、形状の変化などが考慮されている。中に使用されている素材はウレタン、スポンジ、ナイロン、ゴムなど色々な材質を使用していますが、いずれも平らな敷物です。以下従来のクッションについて説明する。
【０００３】
ソロストレータスは腰掛け部分が使う人の形になり、体圧を軽減する特徴があり、キュービクッションは中のスポンジに特徴があり、マルチクッションは空気孔でムレを防ぐ特徴がある。オルトップクッションはカットされたパットに特徴があり、フローティングシートＫＦ−１００Ａは車椅子のベースシートを外しフローティングシートを乗せる構造であるなど、いずれも平らな敷物で車椅子の座席部分に敷いて用いますので、車椅子を折りたたむ際には、それらの敷物を取り外さなければならないという課題があります。
【０００４】
【発明が解決しようとする課題】
従来のクッションは平らで、クッションの裏に滑り止めを付け、車椅子の座席に敷いているだけで固定されていないので、滑り落ちるおそれがあります。又車椅子を折りたたむ際には、その都度車椅子の座席から取り外さなければならないという課題がある。
【０００５】
この発明は上述のような背景のもと考案されたもので、車椅子用の座布団を車椅子に固定したまま、車椅子の折りたたみが可能になることを目的にしている。
【０００６】
【課題を解決するための手段】
上記課題を解決するために、以下の構成を採用している。即ち請求項１記載の装置は車椅子用の座布団の着座部分を二つに分け、中折れを可能にし、座布団の両サイドと左右に滑り止め用の紐を付け、座布団を車椅子の座席に固定させたまま車椅子の折りたたみを可能にした事を特徴としている。
【０００７】
【発明の実施形態】
以下図面を参照に、この発明の実施形態について説明する。図１は本発明の中折れ座布団の実施形態を表したものです。車椅子の座席の下に取り付ける滑り止め用とする紐と、車椅子の座席を支える斜めのパイプに座布団を取り付けて固定させる紐を縫い付けた全体図である。
【０００８】
図２は本発明の中折れ座布団を車椅子に取り付けた実施例です。即ち本発明の座布団の２と３を、車椅子を支えている斜めのパイプに止め、４と５を車椅子の座席の下に回して止める事により車椅子の座席に固定させ着座の安定感と安全性を向上させる特徴がある。
【０００９】
実施形態は以上のような構成であり、以下のような効果を有する。座布団の着座部分を二つに分ける事により、身体の状態に合わせて左右別々の機能を持たせる座布団を作ることが可能になる。更に車椅子に座布団を固定させて用いますので安全性が向上し、車椅子を折りたたむ際に座布団を取り外す必要もなく、座布団を敷いたままで折りたたむ事ができる。
【００１０】
以上この発明の実施形態、実施例を図面により詳述してきましたが、具体的な構成はこの実施形態に限られるものではなく、この発明の要旨を逸脱しない範囲の設計変更等であってもこの発明に含まれる。
【００１１】
【発明の効果】
以上説明したように、この発明の構成によれば、請求項１の装置では座布団の着座部分を二つに分ける事により、左右別々の機能を持たせる事が可能になり、車椅子に座布団を敷いた状態で折りたたみが可能になる効果が得られる。
【図面の簡単な説明】
【図１】本発明の実施形態を示す。
【図２】本発明を実施する車椅子を示す。
【符号の説明】
１      中折れ座布団本体
２・３  座布団と車椅子の座席を支える斜めのパイプに取り付ける滑り止め用の紐
４・５  座布団と車椅子の座席に取り付ける滑り止め用の紐
６      車椅子の斜めの座席パイプ
【図１】
2005013686.tif 000003
【図２】
2005013686.tif 000004
(57)【要約】      （修正有）【課題】マグネットシートに直接印刷せず、確実に使い捨てとなり、廃棄時の安全性を確保し、針刺し事故を未然に防ぐための容器とする。手洗い看護婦と外周り看護婦がダブルチェックできる安価な手術用縫合針カウンターを提供する。【解決手段】マグネットシートに複数のスリットを入れ、裏面にカウント用の数字を表記した血液浸透性の台紙が接着固定する。蓋が透明の密閉型樹脂製容器に収納する。【選択図】なし【特許請求の範囲】
【請求項１】
使用済みの手術用縫合針の本数を確認するためのカウンターであり、複数のスリットが入ったマグネットシート裏に、カウント用の数字を表記した血液浸透性の台紙が接着固定されており、台紙に表記された数字はマグネットシートのスリットを通して視認することができ、台紙の数字を確認しながらマグネットシート上に縫合針を固着させていく方式であることを特徴とする手術用縫合針カウンター。
【請求項２】
上記手術用縫合針カウンターのうち、接着固定された台紙とマグネットシートが樹脂製容器に収納されており、樹脂製容器の端部には布鉗子で手術台に固定できるように突起が出ており、樹脂製容器の蓋は透明であり、密閉収納することにより安全に廃棄が可能であり、樹脂製容器全体は滅菌可能な包装体に密封され、エチレンオキサイドガス、又は放射線により滅菌済みとし、手術の際、即使用が可能な状態であることを特徴とした請求項１記載の手術用縫合針カウンター。
【発明の詳細な説明】
【０００１】
【発明の属する技術分野】
本発明は使用済の縫合針を廃棄する際に、患者体内に残さないよう正確にその使用本数をカウントし、さらに医療用廃棄物として適切に処分するための手術用縫合針カウンターの改良に関する。
【０００２】
【従来の技術】
マグネット式ニードルカウンターは、通常マグネットシート表面にカウント用の数字が印刷してある（例えば特許文献１、２参照）。
【０００３】
その他形状や機能に関して様々な提案がなされてきた（例えば特許文献３参照）。
【０００４】
【特許文献１】
特開平９−７５４０５
【特許文献２】
特開２００１−２２４６０３
【特許文献３】
特開２００３−１２６０９７
【０００５】
【発明が解決しようとする課題】
感染性医療廃棄物であるニードルカウンターは、使用後確実に廃棄しなければならない。しかし、実際には見た目に洗浄が可能と判断されたものは、たとえメーカーが使い捨てを謳っていても、洗浄、再使用される可能性がある。マグネットシートに直接印刷すると、洗浄が可能であり、医療従事者の洗浄、再滅菌過程での感染が危惧される。
【０００６】
マグネットシートは高価であり、その上に印刷をかけると更にコストアップとなる。昨今の医療機関の財務状況を勘案すると、捨てるものにはコストをかけたくないというところが本音である。
【０００７】
【課題を解決するための手段】
上記の問題点を解決するために本発明は、複数のスリットが入ったマグネットシート裏に、カウント用の数字を表記した血液浸透性の台紙を接着固定した。台紙に表記された数字はマグネットシートのスリットを通して視認することが可能であり、台紙の数字を確認しながらマグネットシート上に縫合針を固着させていく。また、接着固定された台紙とマグネットシートを樹脂製容器に収納し、端部は布鉗子で手術台に固定できるように突起を設け、蓋を透明とし、密閉収納し、安全に廃棄できる。
【０００８】
【発明の実施の形態】
以下、本発明の実施の形態を図面に基づいて説明する。図１は請求項１及び２に係る手術用縫合針カウンターを示している。マグネットシート１には４列のスリット２ａ、２ｂ、２ｃ、２ｄが入っており、マグネットシート裏には、カウント用の１から４０の数字が印刷された紙製の台紙が接着固定されている。台紙に印刷された数字はマグネットシートのスリットを通して視認することができる。看護師は台紙の数字を確認しながらマグネットシート上に使用済み縫合針を固着させていく。紙製の台紙には血液が付着するため、確実に使い捨てとなる。台紙とマグネットシートは樹脂製容器４に収納されている。素材はポリエチレンテレフタレート、ポリエチレン、ポリプロピレン、ポリスチレン、ＡＢＳ等が好ましい。樹脂製容器４の端部には布鉗子で手術台に固定できるように突起５ａ、５ｂが出ている。蓋は透明色なので、外回りの看護師が再度、針を確認できる。蓋はロックするので、医療従事者や廃棄物処理業者が安全に取り扱うことができる。
【０００９】
【発明の効果】
本発明は以上説明したような形態で実施され以下に記載されるような効果を奏する。
【００１０】
血液浸透性の台紙を用いることにより、再使用を確実に防止する。マグネットシートに複数のスリットを設けることにより、台紙に表記された数字を視認できる。
【００１１】
樹脂製容器の端部には布鉗子で手術台に固定できるように突起が出ている。蓋は透明色なので、外回りの看護師が再度、針を確認できる。蓋はロックするので、医療従事者や廃棄物処理業者が安全に取り扱うことができる。
【００１２】
マグネットシートに直接印刷しないので、安価に製造できる。
【図面の簡単な説明】
【図１】手術用縫合針カウンターの外観図である。
【符号の説明】
１  マグネットシート
２ａ、２ｂ、２ｃ、２ｄ  スリット
３  台紙
４  樹脂製容器
５ａ、５ｂ  突起
【図１】
2005013607.tif 000002
(57)【要約】      （修正有）【課題】手術用縫合針の紛失の際、どの部位で使用したどの縫合針かを特定すること。針刺し事故を未然に防ぐための容器入りであること。手洗い看護師と外周り看護師がダブルチェックできる手術用縫合針カウントシステムを提供する。【解決手段】一面に粘着性の平面を持ち、取り出したパッケージに接着することが可能で、手術用縫合針が固定可能なブロック体の形状とした。更に、複数のブロックが取り剥がし可能な台紙上に整列固着されており、全体が滅菌可能な包装体に密封され、滅菌済みとし、手術の際、即使用が可能な状態であることとした。また、全体を樹脂製密閉式容器に収納し、端部は布鉗子で手術台に固定可能であり、蓋は透明で、容器全体を滅菌済みとする形態とした。【選択図】なし【特許請求の範囲】
【請求項１】
使用済みの手術用縫合針を、取り出したパッケージに確実に戻すための縫合針固定ブロックであり、一面に粘着性の平面を持ち、取り出したパッケージに接着することが可能で、手術用縫合針が固定可能なブロック体の形状であることを特徴とする使用済み手術用縫合針固定ブロック。
【請求項２】
上記使用済み手術用縫合針固定ブロックの内、複数のブロックが取り剥がし可能な台紙上に整列固着されており、全体が滅菌可能な包装体に密封され、エチレンオキサイドガス、又は放射線により滅菌済みとし、手術の際、即使用が可能な状態であることを特徴とした請求項１記載の手術用縫合針固定ブロック。
【請求項３】
上記使用済み手術用縫合針固定ブロックの内、複数のブロックが取り剥がし可能な台紙上に整列固着されており、全体が樹脂製密閉式容器に収納されており、樹脂製密閉式容器の端部には布鉗子で手術台に固定できるように突起が出ており、樹脂製密閉式容器の蓋は透明であり、更に容器全体が滅菌可能な包装体に密封され、エチレンオキサイドガス、又は放射線により滅菌済みとし、手術の際、即使用が可能な状態であることを特徴とした請求項１記載の手術用縫合針固定ブロック。
【発明の詳細な説明】
【０００１】
【発明の属する技術分野】
本発明は使用済の手術用縫合針を廃棄する際に、患者体内に残さないよう、縫合針を取り出したパッケージに取り出した数だけ戻し、更に医療用廃棄物として適切に処分するための縫合針固定ブロックに関する。
【０００２】
【従来の技術】
使用済み手術用縫合針を一つの容器に集合させてカウントする縫合針カウンターの提案は数多くなされてきた。（例えば特許文献１、２及び３参照）。しかし、取り出したパッケージに戻すための考案は未だなされていない。
【０００３】
【特許文献１】
特開平９−７５４０５
【特許文献２】
特開２００１−２２４６０３
【特許文献３】
特開２００３−１２６０９７
【０００４】
【発明が解決しようとする課題】
従来の手術用縫合針カウンターは、一つの手術で使用する多品種の縫合針をひとつの容器に集合させるため、万が一、縫合針の不足が発生した場合、どの場面で使用したどの縫合針かを特定できない。
【０００５】
【課題を解決するための手段】
上記の問題点を解決するために本発明は、使用済みの手術用縫合針を、取り出したパッケージに確実に戻すために、一面に粘着性の平面を持ち、取り出したパッケージに接着することが可能で、手術用縫合針が固定可能なブロック体の形状とした。更に、複数のブロックが取り剥がし可能な台紙上に整列固着されており、全体が滅菌可能な包装体に密封され、エチレンオキサイドガス、又は放射線により滅菌済みとし、手術の際、即使用が可能な状態であることとした。また、全体を樹脂製密閉式容器に収納し、端部は布鉗子で手術台に固定可能であり、蓋は透明で、容器全体を滅菌済みとする形態とした。
【０００６】
【発明の実施の形態】
以下、本発明の実施の形態を図面に基づいて説明する。図１は請求項１及び２に係る手術用縫合針固定ブロック１を示している。２０個〜３０個のブロック群は一症例に使用する縫合針の本数に近いものである。素材はポリエチレンフォームであり、縫合針２が容易に刺さる。１個のブロック形状は直方体であり、底面が粘着性となっている。台紙に整列固着しており、一枚ずつ剥がし、縫合針２を取り出したパッケージ３に接着する。使用済みの針が戻ってきたところで、ブロック１に縫合針２を刺し、その都度カウントは完結する。完結した使用済み縫合針２及びパッケージ３は下に下ろすので、新たに開封する縫合針と混同せず、手術台に残っている空パッケージは、まだ縫合針が戻ってきていないことを意味する。万が一縫合針を紛失した場合、紛失縫合針の品種や、大まかな紛失時刻、その縫合針で縫っていた縫合部位等を特定することができる。
【０００７】
図２は請求項３に係る樹脂製容器４を例示している。製品出荷時には、容器４にブロック１の集合体が収納されている。ブロックを取り出した後、任意の数量を容器内に貼り、通常の縫合針カウンターとして使用することができる。樹脂製容器４の素材はポリエチレンテレフタレート、ポリエチレン、ポリプロピレン、ポリスチレン、ＡＢＳ等が好ましい。樹脂製容器４の端部には布鉗子で手術台に固定できるように突起５ａ、５ｂが出ている。蓋は透明色なので、外回りの看護師が再度、針を確認できる。蓋はロックするので、医療従事者や廃棄物処理業者が安全に取り扱うことができる。
【０００８】
【発明の効果】
本発明は以上説明したような形態で実施され以下に記載されるような効果を奏する。
【０００９】
戻ってきた使用済みの縫合針を、一本ずつブロックに刺すことにより、マッチングが行われ、その都度カウントが完結する。完結した使用済み縫合針及びパッケージは外回り看護師に渡すため、簡便なダブルチェックが可能である。新たに開封する縫合針と混同しないため、手術台に残っている空パッケージは、まだ縫合針が戻ってきていないことを意味する。万が一縫合針を紛失した場合、紛失縫合針の品種や、大まかな紛失時刻、その縫合針で縫っていた縫合部位等を特定することができる。
【００１０】
樹脂製容器を使用する場合、任意の数量のブロックを容器内に貼り、通常の縫合針カウンターとして使用することができる。樹脂製容器は布鉗子で手術台に固定できる。蓋は透明色なので、外回りの看護師が再度、針を確認できる。蓋はロックするので、医療従事者や廃棄物処理業者が安全に取り扱うことができる。
【図面の簡単な説明】
【図１】手術用縫合針固定ブロックの使用説明図である。
【図２】容器内に貼った場合の使用説明図である。
【符号の説明】
１  縫合針固定ブロック
２  使用済み縫合針
３  パッケージ
４  樹脂製容器
【図１】
2005013608.tif 000002
【図２】
2005013608.tif 000003